【手続補正書】
【提出日】平成18年1月23日(2006.1.23)
【手続補正１】
【補正対象書類名】明細書
【補正対象項目名】発明の名称
【補正方法】変更
【補正の内容】
【発明の名称】画像処理制御装置
【手続補正２】
【補正対象書類名】明細書
【補正対象項目名】特許請求の範囲
【補正方法】変更
【補正の内容】
【特許請求の範囲】
【請求項１】  ローカルバスにオプションユニットが接続されているか否かを検知するオプションユニット検知手段と、
該オプションユニット検知手段の検知結果を基に、前記オプションユニットに供給するクロック信号を制御するクロック信号動作制御手段と、を有することを特徴とする画像処理制御装置。
【請求項２】  前記オプションユニット検知手段は、前記画像処理制御装置への電源投入時に前記オプションユニットが接続されているか否かを検知することを特徴とする請求項１記載の画像処理制御装置。
【請求項３】  前記オプションユニットの前記ローカルバスへの挿抜を検出するオプションユニット挿抜検知手段をさらに有し、
前記クロック信号動作制御手段は、前記オプションユニットが抜かれた場合、前記クロック信号の前記オプションユニットへの供給を停止することを特徴とする請求項１記載の画像処理制御装置。
【請求項４】  前記オプションユニットの前記ローカルバスへの挿抜を検出するオプションユニット検知手段をさらに有し、
前記クロック信号動作制御手段は、前記オプションユニットが挿入された場合、前記クロック信号の前記オプションユニットへの供給を開始することを特徴とする請求項１記載の画像処理制御装置。
【手続補正３】
【補正対象書類名】明細書
【補正対象項目名】０００１
【補正方法】変更
【補正の内容】
【０００１】
【発明の属する技術分野】
本発明は、画像処理制御装置に関し、特に、電磁放射ノイズを低減する画像処理制御装置に関する。
【手続補正４】
【補正対象書類名】明細書
【補正対象項目名】０００２
【補正方法】変更
【補正の内容】
【０００２】
【従来の技術】
従来、ローカルバスであるＰＣＩバスにオプションを増設する、画像処理制御装置であるプリンタコントローラにおいて、オプションユニットの増設があるとないとに関わらず、全ての当該オプションバスには、クロック信号が供給されており、動作状態となっていた。
【手続補正５】
【補正対象書類名】明細書
【補正対象項目名】０００３
【補正方法】変更
【補正の内容】
【０００３】
【発明が解決しようとする課題】
しかしながら、上記従来のように、全てのオプションバスにクロック信号を常時供給していた場合、当該プリンタコントローラから放射される電磁波放射ノイズが増大するという問題を発生してしまう。
【手続補正６】
【補正対象書類名】明細書
【補正対象項目名】０００４
【補正方法】変更
【補正の内容】
【０００４】
従って、本発明は、上記課題に鑑みなされたもので、ローカルバスに接続されるオプションユニットの増設の接続状態によりオプションバスに供給されるクロック信号を制御することにより、画像処理制御装置から放射される電磁放射ノイズを必要最低限のものとし、外部機器への影響を少なくする画像処理制御装置を提供することを目的とする。
【手続補正７】
【補正対象書類名】明細書
【補正対象項目名】０００５
【補正方法】変更
【補正の内容】
【０００５】
より具体的には、ローカルバスに接続されるオプションユニットの検知手段を持ち、オプションバスに供給するクロック信号を制御することにより、クロック信号の供給を最適化し、不必要な電磁放射ノイズの原因を無くした画像処理制御装置を提供する。
【手続補正８】
【補正対象書類名】明細書
【補正対象項目名】０００６
【補正方法】変更
【補正の内容】
【０００６】
また、電源立ち上げ時にオプションユニットの有無を検知し、検出されなかったオプションユニットへのクロック信号の動作を停止させることにより、電磁放射ノイズを低減する画像処理制御装置を提供する。
【手続補正９】
【補正対象書類名】明細書
【補正対象項目名】０００７
【補正方法】変更
【補正の内容】
【０００７】
更に、画像処理制御装置の電源供給時であって、ローカルバスに接続されるオプションユニットが抜かれたことを検知し、このオプションバスへ供給されるクロック信号を停止することにより、電磁放射ノイズを低減する画像処理制御装置を提供する。
【手続補正１０】
【補正対象書類名】明細書
【補正対象項目名】０００８
【補正方法】変更
【補正の内容】
【０００８】
【課題を解決するための手段】
係る目的を達成するために、請求項１記載の発明は、ローカルバスにオプションユニットが接続されているか否かを検知するオプションユニット検知手段と、オプションユニット検知手段の検知結果を基に、オプションユニットに供給するクロック信号を制御するクロック信号動作制御手段と、を有することを特徴とする。
【手続補正１１】
【補正対象書類名】明細書
【補正対象項目名】０００９
【補正方法】変更
【補正の内容】
【０００９】
また、請求項２記載の発明によれば、請求項１記載の画像処理制御装置において、オプションユニット検知手段は、画像処理制御装置への電源投入時にオプションユニットが接続されているか否かを検知することを特徴とする。
【手続補正１２】
【補正対象書類名】明細書
【補正対象項目名】００１０
【補正方法】変更
【補正の内容】
【００１０】
また、請求項３記載の発明によれば、請求項１記載の画像処理制御装置において、オプションユニットのローカルバスへの挿抜を検出するオプションユニット挿抜検知手段をさらに有し、クロック信号動作制御手段は、オプションユニットが抜かれた場合、クロック信号のオプションユニットへの供給を停止することを特徴とする。
【手続補正１３】
【補正対象書類名】明細書
【補正対象項目名】００１１
【補正方法】変更
【補正の内容】
【００１１】
また、請求項４記載の発明によれば、請求項１記載の画像処理制御装置において、オプションユニットのローカルバスへの挿抜を検出するオプションユニット挿抜検知手段をさらに有し、クロック信号動作制御手段は、オプションユニットが挿入された場合、クロック信号のオプションユニットへの供給を開始することを特徴とする。
【手続補正１４】
【補正対象書類名】明細書
【補正対象項目名】００１２
【補正方法】変更
【補正の内容】
【００１２】
【発明の実施の形態】
以下、本発明の画像処理制御装置であるプリンタコントローラを好適に実施した形態について、図面を用いて詳細に説明する。
【手続補正１５】
【補正対象書類名】明細書
【補正対象項目名】００２９
【補正方法】変更
【補正の内容】
【００２９】
【発明の効果】
以上、説明したように、本発明の画像処理制御装置によれば、ローカルバスであるＰＣＩバスに接続されるオプションユニットの接続状態を検知し、オプションバスに供給するクロック信号を制御することが可能となり、これにより、当該クロック信号の供給が最適化され、不必要な電磁放射ノイズの原因が排除され、外部機器への影響を低減させることが可能となる。
【手続補正１６】
【補正対象書類名】明細書
【補正対象項目名】００３０
【補正方法】変更
【補正の内容】
【００３０】
また、電源立ち上げ時には、オプションユニットの有無を検知し、検出されなかったオプションユニットへのクロック信号の動作を停止させることにより、電磁放射ノイズを低減することが可能となる。
【手続補正１７】
【補正対象書類名】明細書
【補正対象項目名】００３１
【補正方法】変更
【補正の内容】
【００３１】
更に、画像処理制御装置の電源供給時にローカルバスに接続されるオプションユニットが抜かれたことを検知し、このオプションバスへ供給されるクロック信号を停止することにより、電磁放射ノイズを低減させることが可能となる。